(57)【要約】【課題】商品陳列時等の使用前に箱外部から中身を視認できるものでありながら、使用時の外観が従来に近く簡素であり、見栄えが良く、しかも衛生的な衛生薄葉紙収納箱を提供する。【解決手段】上記課題は、箱上面１Ｕに、上面裂開用ミシン目線１１内に収まるように、又は上面裂開用ミシン目線１１内及びその周囲部に跨り且つ取り出し口１２を内側から覆うフィルムシート２と重なるように、中身視認用窓３０を開口し、かつ、上面裂開用ミシン目線１１及び中身視認窓３０を被覆するように樹脂製フィルムによってコーティングすることにより解決される。【選択図】図１
2010173729.tif 000002
【特許請求の範囲】
【請求項１】
上面と底面とこれらに連接する側面とを有する箱本体と、記上面に形成された環状の裂開用ミシン目線と、前記環状ミシン目線内範囲及びその周囲部を箱本体内側から覆う、透視可能なフィルムシートとを有し、
前記フィルムシートにおける少なくとも環状ミシン目線内範囲にスリットが形成され、前記環状ミシン目線に沿ってミシン目線に囲まれる範囲を引き剥がすことにより、取り出し口が形成されるとともに、この取り出し口内に、前記フィルムシート及びそれに形成されたスリットが露出され、このスリットを介して、箱内に収納された衛生薄葉紙が取り出し可能となる衛生薄葉紙収納箱であって、
前記上面に前記フィルムシートと重なるように中身視認用窓が開口され、かつ、前記裂開用ミシン目線及び中身視認用窓を被覆するようにして透明な樹脂製フィルムによって収納箱がフィルムコーティングされていることを特徴とする衛生薄葉紙収納箱。
【請求項２】
前記中身視認用窓が、前記環状ミシン目線内に収まるように、又は前記環状ミシン目線内及びその周囲部に跨り配されている請求項１記載の衛生薄葉紙収納箱。
【請求項３】
前記中身視認用窓は前記フィルムシートにおける前記スリットと重ならず、且つ前記中身視認用窓の周縁が、前記フィルムシートにおける前記スリットから離間している、請求項１記載の衛生薄葉紙収納箱。
【請求項４】
前記中身視認用窓が前記裂開用ミシン目線上にある、請求項３記載の衛生薄葉紙収納箱。
【請求項５】
上面と底面とこれらに連接する側面とを有する箱本体と、記上面に形成された環状の取り出し口と、前記取り出し口を箱本体内側から覆う、透視可能なフィルムシートとを有し、前記フィルムシートにおける少なくとも取り出し口範囲にスリットが形成され、前記フィルムシートに形成されたスリットを介して、箱内に収納された衛生薄葉紙が取り出し可能となる衛生薄葉紙収納箱であって、
少なくとも取り出し口を被覆するようにして透明な樹脂製フィルムによって収納箱外面側がフィルムコーティングされていることを特徴とする衛生薄葉紙収納箱。
【請求項６】
収納箱全体がフィルムコーティングされている請求項１〜５の何れか１項に記載の衛生薄用紙収納箱。
【請求項７】
樹脂製フィルムが、収納箱に対して剥離可能とされている請求項１〜６の何れか１項に記載の衛生薄葉紙収納箱。
【請求項８】
前記フィルムシートの厚みが３０μｍ以上であり、且つ前記中身視認用窓を覆う補強部材を有しない、請求項１〜７の何れか１項に記載の衛生薄葉紙収納箱。
【請求項９】
前記フィルムシートの表裏面の少なくとも一方、又は、樹脂製フィルムのフィルムシート対向面部分に香料が内包されたマイクロカプセルが担持されている請求項１〜８の何れか１項に記載の衛生薄葉紙収納箱。
【発明の詳細な説明】
【技術分野】
【０００１】
本発明は、ティシュペーパー、ペーパータオル、キッチンペーパー等を収納するための衛生薄葉紙収納箱に関する。
【背景技術】
【０００２】
従来の衛生薄葉紙収納箱としては、紙箱の上面に環状のミシン目線が形成され、環状ミシン目線内及びその周囲部を被覆するようにして、紙箱内面にスリットを有する樹脂製又は樹脂を含むフィルムシートを貼付した構造を採るのが一般的である。使用に際しては、環状のミシン目線を切り剥がすことで、紙箱に取り出し口を形成し、その取り出し口内にスリットを露出させる。使用者はこのスリットを介して衛生薄葉紙を引き出して使用する。
【０００３】
ところで、このような一般的な収納箱を採用した製品では、環状のミシン目線を切り離すとフィルムシートを介して中身を見ることができるが、切り離し前には見ることはできない。よって、中身である衛生薄葉紙自体の外観に特徴のある製品の場合、例えば色や模様を印刷や、エンボス加工で付加したりした場合や、素材自体の質感に特徴のある製品の場合に、その外観を消費者に対する訴求手段として利用できず、箱外面に写真やキャッチコピーを印刷する他なかった。
このような問題点に対して、箱上面における、環状ミシン目線外に補強材付の中身視認用窓を設けることが提案されている（例えば、特許文献１等）。
そこで、出願人は、中身視認用窓が環状ミシン目線内に配置されるようにして、環状ミシン目線で囲まれる範囲を使用の際を裂開除去した後には、当該中身視認用窓が事後的に残らないようにした衛生薄葉紙収納箱を開発した（特願２００８−２４８４２０）。
【０００４】
一方、この種の収納箱においては、一般的に、フィルムシートを収納箱に貼付するに当っては、箱上面の裏面側において環状のミシン目線を囲むように糊付け箇所を配置して、フィルムシートを貼付している。このため、従来の中身視認窓を有するものであっても、出願人が開発した中身視認窓を有するものであっても、中身視認用窓や環状の裂開用ミシン目線とフィルムシートに形成されたスリットを介して収納箱の内外が通気性、通液性となっており、水分、異物や臭気等が混入するおそれが完全には防止されていなかった。
【先行技術文献】
【特許文献】
【０００５】
【特許文献１】特開２００５−８２２０２
【発明の概要】
【発明が解決しようとする課題】
【０００６】
そこで、本発明の主たる課題は、商品陳列時等の使用前に箱外部から中身を視認できるものでありながら、使用時の外観が従来に近く簡素であり、見栄えが良く、しかも異物や臭気等の混入のおそれがなく衛生面等において優れる衛生薄葉紙収納箱を提供することにある。
【課題を解決するための手段】
【０００７】
上記課題を解決した本発明は次記の通りである。
＜請求項１記載の発明＞
上面と底面とこれらに連接する側面とを有する箱本体と、記上面に形成された環状の裂開用ミシン目線と、前記環状ミシン目線内範囲及びその周囲部を箱本体内側から覆う、透視可能なフィルムシートとを有し、
前記フィルムシートにおける少なくとも環状ミシン目線内範囲にスリットが形成され、前記環状ミシン目線に沿ってミシン目線に囲まれる範囲を引き剥がすことにより、取り出し口が形成されるとともに、この取り出し口内に、前記フィルムシート及びそれに形成されたスリットが露出され、このスリットを介して、箱内に収納された衛生薄葉紙が取り出し可能となる衛生薄葉紙収納箱であって、
前記上面に、前記フィルムシートと重なるように中身視認用窓が開口され、かつ、前記裂開用ミシン目線及び中身視認用窓を被覆するようにして透明な樹脂製フィルムによって収納箱がフィルムコーティングされていることを特徴とする衛生薄葉紙収納箱。
【０００８】
（作用効果）
本発明は、透視可能なフィルムシートと重なるように、中身視認用窓を開口されている。これにより、使用前においては中身視認用窓内に露出するフィルムシートを介して収納箱の中身を視認することができる。
また、本収納箱は、前記裂開用ミシン目線及び中身視認用窓を被覆するようにして透明な樹脂製フィルムによって収納箱外面側がフィルムコーティングされており、ミシン目線、視認用窓部及びスリットの存在による収納箱内外への液透過性、気体透過性が格段に低下されている。
なお、フィルムコーティングは、当該部分を実質的に気密性、液密性を確保できるように配されている必要があればよい。
【０００９】
＜請求項２記載の発明＞
前記中身視認用窓が、前記環状ミシン目線内に収まるように、又は前記環状ミシン目線内及びその周囲部に跨り配されている請求項１記載の衛生薄葉紙収納箱。
【００１０】
（作用効果）
使用に際して、環状ミシン目線により囲まれる範囲を引き剥がすと、中身視認用窓が環状ミシン目線内に収まるように設けられている場合は、中身視認用窓が引き剥がし部分に伴って完全に消失し、中身視認用窓が環状ミシン目線内及びその周囲部に跨り且つフィルムシートと重なるように設けられている場合は、中身視認用窓のうち環状ミシン目線内に位置する部分が引き剥がし部分に伴って消失するとともに、環状ミシン目線外に位置する部分は取り出し口の一部なすように一体化する。よって、使用時の外観が従来に近く簡素であり、見栄えが良いものとなる。
【００１１】
中身視認用窓の少なくとも一部が環状ミシン目線内に収まる位置に開口していると、中身視認用窓を指掛け孔として利用し、環状ミシン目線により囲まれる範囲を引き剥がすことができる。よって、別途の指掛け手段を省略することができる。
さらに、中身視認用窓の少なくとも一部が環状ミシン目線内に収まる位置に開口しているため、フィルムシートの範囲を拡大することなく、又は拡大するとしてもより少ない面積で中身視認用窓を封止できる。よって、資材の追加を最小限に抑えることができる。また、本発明では、追加の加工も少なくて済むため、製造も容易である。
【００１２】
＜請求項３記載の発明＞
前記中身視認用窓は前記フィルムシートにおける前記スリットと重ならず、且つ前記中身視認用窓の周縁が、前記フィルムシートにおける前記スリットから離間している、請求項１記載の衛生薄葉紙収納箱。
【００１３】
（作用効果）
中身視認用窓の開口位置がフィルムシートのスリットと重なっていたり、近接したりしていると、中身視認用窓からスリットが見えて見栄えが悪くなるが、上記のとおり、中身視認用窓の開口位置をフィルムシートのスリットと重ねず、且つ十分に離間させるのが好ましい。
【００１４】
＜請求項４記載の発明＞
上面と底面とこれらに連接する側面とを有する箱本体と、記上面に形成された環状の取り出し口と、前記取り出し口を箱本体内側から覆う、透視可能なフィルムシートとを有し、前記フィルムシートにおける少なくとも取り出し口範囲にスリットが形成され、前記フィルムシートに形成されたスリットを介して、箱内に収納された衛生薄葉紙が取り出し可能となる衛生薄葉紙収納箱であって、
少なくとも取り出し口を被覆するようにして透明な樹脂製フィルムによって収納箱外面側がフィルムコーティングされていることを特徴とする衛生薄葉紙収納箱。
【００１５】
（作用効果）
本発明は、環状の裂開用ミシン目線が存在せずに、取り出し口が予め形成されている例である。すなわち、取り出し口が視認用窓部を兼ねており、請求項１と同様の効果を奏するほか、取り出し口形成のために収納箱の一部を切り剥がす必要がなく、もって、使用開始時の操作の煩雑性がなく切り剥がしによって形成される無駄な廃棄部分のない収納箱となる。
【００１６】
＜請求項５記載の発明＞
収納箱全体がフィルムコーティングされている請求項１〜４の何れか１項に記載の衛生薄用紙収納箱。
【００１７】
（作用効果）
収納箱は、一般的に紙を裁断した後に組み立てにより形成されることから、一部をフィルムコーティングするよりも、ミシン目線や中身視認用窓形成後の収納箱原反シートに対して、フィルムコーティングするのが簡易であり、したがって、収納箱全体がフィルムコーティングされているもののほうが、製造が容易となるという利点がある。
【００１８】
＜請求項６記載の発明＞
樹脂製フィルムが、収納箱に対して剥離可能とされている請求項１〜６の何れか１項に記載の衛生薄葉紙収納箱。
【００１９】
＜請求項７記載の発明＞
前記フィルムシートの厚みが３０μｍ以上であり、且つ前記中身視認用窓を覆う補強部材を有しない、請求項１〜７の何れか１項に記載の衛生薄葉紙収納箱。
【００２０】
（作用効果）
このように、中身視認用窓を覆う補強部材が無くても、中身視認用窓が誤って又はいたずらにより破損するといった事態が起こり難い。
【００２１】
＜請求項８記載の発明＞
前記フィルムシートの表裏面の少なくとも一方、又は、樹脂製フィルムのフィルムシート対向面部分に香料が内包されたマイクロカプセルが担持されている請求項１〜８の何れか１項に記載の衛生薄葉紙収納箱。
【００２２】
（作用効果）
本発明では、収納箱がフィルムコーティングされているため、スリットが形成されているフィルムシートや当該コーティングのための樹脂製フィルムにマイクロカプセルを担持させているので、使用開始時に香りが発生することとなり付加価値の高い製品を提供することができるようになる。
【発明の効果】
【００２３】
以上詳述のとおり、本発明によれば、商品陳列時等の使用前に箱外部から中身を視認できるものでありながら、使用時の外観が従来に近く簡素であり、見栄えが良く、しかも異物や臭気等の混入のおそれがなく衛生面等において優れる等の利点がもたらされる。
【図面の簡単な説明】
【００２４】
【図１】衛生薄葉紙収納箱の上面側からの斜視図である。
【図２】衛生薄葉紙収納箱の使用時の斜視図である。
【図３】衛生薄葉紙収納箱の上面を示す平面図である。
【図４】図１のＡ−Ａ断面図である。
【発明を実施するための形態】
【００２５】
以下、本発明の一実施の形態について、添付図面を参照しながら詳述する。
（第１の実施の形態）
図１は、衛生薄葉紙収納箱Ｘ１の上面１Ｕ側からの斜視図であり、図２は衛生薄葉紙、例えばティシュペーパー取り出し時の状態を示す斜視図であり、図３は、本実施形態の衛生薄葉紙収納箱Ｘ１の上面を示す平面図である。図４は図１のＡ−Ａ断面拡大図である。
【００２６】
この衛生薄葉紙収納箱Ｘ１は所謂ボックステイシュを想定したものであり、上面１Ｕ裂開用ミシン目線１１を有する箱本体１と、上面の裂開用ミシン目線内範囲１１ａ及びその周囲部を内側から覆うフィルムシート２とを備える（以下、上面の裂開用ミシン目線１１を上面裂開用ミシン目線１１ともいう）。
【００２７】
箱本体１は、衛生薄葉紙収納箱Ｘ１の外形をなす直六面体の箱体であり、上面１Ｕ、底面１Ｂ及びこれらを連接する側面と、各面の長手方向両側縁に連接された底面側端面片、側面端面片、上面側端面片とを有し、側面端面片を箱内面側に折り返した後、これに重ねて上面側端面片と底面側端面片とを折り曲げ、各片の当接部分をホットメルト接着剤等により接着して構成される構造をなしているが、その大きさ、形状、展開形状等はこれに限らず既知の衛生薄葉紙収納箱の形状、展開形状構成を採用できる。
【００２８】
ここで、本発明の箱本体１は、図４に示すように、例えば、バージンパルプ、古紙パルプ等の各種のパルプを主原料とする既知の板紙素材１０に対して、後述する樹脂製フィルムが２０積層された素材により形成され、その樹脂製フィルム積層面が外面となるように構成されている。前記板紙１０は、好適には、坪量２５０〜５００ｇ／ｍ2、好適には３５０〜４００ｇ／ｍ2のコートボール紙である。
【００２９】
また、この種の一般的な収納箱Ｘ１の大きさは、概ね長手縁が１１０〜３２０ｍｍ、短手縁が７０〜２００ｍｍ、高さが４０〜１５０ｍｍ程度であり、少なくとも本願発明はこの大きさの箱は対象となる。
【００３０】
他方、箱本体１は、図示はしないが、花柄、螺旋模様、波模様、ドット模様、亀甲模様、星模様、十字模様、幾何学模様など適宜の文字・図形・絵・記号の単体又はこれらの組み合わせにより構成される適宜の模様を外面又は内面に付与することができる。紙箱外面に対する模様の付与は、グラビア印刷等の既知の印刷方法により行うことができる。
【００３１】
他方、箱本体１の上面１Ｕに形成される上面裂開用ミシン目線１１は環状をなし、既知の方法及びカットタイ比で形成される。
【００３２】
上面裂開用ミシン目線１１により囲まれる範囲１１ａの具体的形状については限定されず、従来既知の形状を採用できる。具体的には、図示例の如く、紙箱上面の長手方向に沿う方向を長辺とする略楕円形状が代表的に採用される。
【００３３】
他方、フィルムシート２は、上面裂開用ミシン目線１１により囲まれる範囲１１ａのサイズより大きく、例えば、方形であり紙箱１上面の内面側に、環状の上面裂開用ミシン目線を囲むように配した接着剤５０により接着されている。
【００３４】
フィルムシート２のスリット２ａは上面裂開用ミシン目線１１により囲まれる範囲１１ａに位置されており、環状の上面裂開用ミシン目線１１に沿ってこれにより囲まれる範囲１１ａを引き剥がすことにより、図２に示されるように、取り出し口１２（以下、上面の取り出し口を上面取り出し口１２という）が形成されるとともに、フィルムシート２及びそれに形成されたスリット２ａが上面取り出し口１２を介して露出される。
【００３５】
フィルムシート２の箱本体１への接着に用いる接着剤の種類は特に限定されないが、リサイクルの点で水性接着剤が好ましい。
【００３６】
他方、スリット２ａの長さは、上面取り出し口１２の長手方向全長より短くすることが望ましいが、上面取り出し口１２の長手方向全長と同じ長さにすることもでき、さらに、フィルムシート２の長手方向長さより短い条件の下で、上面取り出し口１２の長手方向全長より長くすることもできる。
【００３７】
箱本体１とフィルムシート２との接着力（剥離強度）は特に限定されない。従来製品における箱本体１とフィルムシート２との接着力と同程度でよい。
【００３８】
フィルムシート２の素材は、透視可能な素材（例えばＪＩＳ Ｐ ８１３８に規定される不透明度で２０％以下、特に１０％以下）であれば特に限定されず、公知のものを用いることができる。具体例を言えば、ポリエチレン、ポリプロピレン、ポリエステル等の樹脂からなるフィルムシート、又はこれらを積層した積層フィルムシート、フィルムシートと薄葉紙等を積層したラミネートフィルムシート、樹脂製繊維からなる合成紙シート等である。取り出し性を考慮すると樹脂製のフィルムシートが好ましく、特にポリエチレンフィルムシートが好ましい。なお、フィルムシートは、視認性を考慮して無色透明であるのが望ましい。
【００３９】
フィルムシート２の厚みは適宜定めることができるが、３０〜２００μｍが好ましい。３０μｍ未満では、強度的に不足し、衛生薄葉紙の取り出し時においてフィルムシートの裂けあるいは破断の確率が高くなる。逆に、２００μｍを超えると、フィルムシートが裂ける等の強度の問題はないものの、衛生薄葉紙取り出し時のひっかかりが大きくなり、薄葉紙が取り出しにくくなったり破れたりする可能性がある。またコスト高ともなる。
【００４０】
他方、本形態の収納箱においては、特徴的に図３（ａ）にも示すように、箱本体１の上面１Ｕにおける、上面裂開用ミシン目線１１内及びその周囲部に跨る部分であって且つフィルムシート２と重なる部分に、中身視認用窓３０が開口されている。
【００４１】
このような中身視認用窓３０を設けることにより、使用前においては中身視認用窓３０内に露出するフィルムシート２を介して収納箱１の中身を視認することができる。この際、中身視認用窓３０はその内側からフィルムシート２により覆われているため、図２に示すように、使用に際して上面裂開用ミシン目線１１により囲まれる範囲を引き剥がすと、中身視認用窓３０のうち上面裂開用ミシン目線１１内に位置する部分が引き剥がし部分１１ａに伴って消失するとともに、上面裂開用ミシン目線１１外に位置する部分は取り出し口１２の一部なすように一体化する。よって、使用時の外観が従来に近く簡素であり、見栄えが良いものとなる。
【００４２】
しかも、中身視認用窓３０の少なくとも一部が上面裂開用ミシン目線１１内に収まる位置に開口していると、中身視認用窓３０を指掛け孔として指を挿入し、上面裂開用ミシン目線１１により囲まれる範囲を引き剥がすことができるため、図示例のように、別途の指掛け手段を省略することができる。さらに、中身視認用窓３０の一部が上面裂開用ミシン目線１１内に収まる位置であるため、フィルムシート２の範囲を拡大することなく、又は拡大するとしてもより少ない面積で中身視認用窓３０を封止できる。よって、資材の追加を最小限に抑えることができる。また、本発明では、追加の加工も少なくて済むため、製造も容易である。
【００４３】
上述した中身視認用窓３０の形状は適宜定めることができ、方形（図示例）、円形、三角形等の図形状の他、文字その他のデザイン形状であっても良い。中身視認用窓３０の大きさ（面積）は適宜定めることができるが、中身の見易さからは１００ｍｍ２以上とするのが好ましい。特に、中身視認用窓３０が円状の場合は直径１０ｍｍ以上とするのが好ましく、楕円状の場合は短軸長さ１０ｍｍ以上とするのが好ましく、他の形状の場合でも、１０ｍｍ以上直線的に連続する開口部分を有しているのが好ましい。
【００４４】
また、衛生薄葉紙収納箱内のウェブの高さについては、衛生薄葉紙収納箱の高さをＨｍｍとした場合、０．９×Ｈｍｍ〜１．０×Ｈｍｍとするのが好ましい。ウェブ高さが０．９×Ｈｍｍ未満の場合、ウェブ特徴を視認しづらく、また、見栄えの点でも悪い。
【００４５】
また、中身視認用窓３０の開口位置がフィルムシート２のスリット２ａと重なっていたり、近接したりしていると、中身視認用窓３０からフィルムシート２のスリット２ａが見えるため見栄えが悪くなる。よって、中身視認用窓３０はその全体がフィルムシート２におけるスリット２ａと重ならず、且つ中身視認用窓３０の周縁が、フィルムシート２におけるスリット２ａから離間しているのが好ましく、特に１０〜３５ｍｍ離間しているのが好ましい。この離間距離は図３に符号３１で示されている。このように構成されていると、フィルムシート２が撓んだとしてもスリット２１が十分に隠れる。
【００４６】
中身視認用窓３０の開口部位は、図示例では上面１Ｕの長手縁１Ｌとスリット２１との間になっているが、上面１Ｕの短手縁１Ｓとスリット２１との間にすることもできる。また、図３（ｂ）に示すように、上面裂開用ミシン目線１１内に収まる部位に、中身視認用窓３０を開口することもできる。この場合、特に図示のように周縁の一部が上面裂開用ミシン目線１１の延長線をなすように配置するのが好ましい。この形態では、上面裂開用ミシン目線１１により囲まれる範囲１１ａを引き剥がすと、中身視認用窓３０が引き剥がし部分１１ａに伴って完全に消失するため、見栄えが良いものとなる。ただし、この形態では、異物混入の観点から中身視認用窓３０とスリット２１とを重ねないようにすると、取り出し口１２の寸法形状によっては、中身視認用窓３０の寸法が過度に小さくなるおそれがある。これに対して、前述の図３（ａ）等に示される形態では、このような制限を受け難いという利点がある。
【００４７】
また、フィルムシート２におけるスリット２ａに代えて、スリット形成用のミシン目線（図示略）を採用し、使用者が使用時にミシン目線を切り離すように構成してもよい。この場合、ミシン目線におけるカット部の長さは５ｍｍ以下、カットタイ比は８：１〜２：１程度とするのが好ましい。なお、カットタイ比とはミシン目の切れ目の部分（カット部）の長さと切れ残りの部分（タイ部）の長さとの比のことである。
【００４８】
また、中身視認用窓３０はフィルムシート２及び樹脂製フィルム２０で塞がれているだけであるため、フィルムシート２の強度が低いと、誤って又はいたずらにより破損するといった事態が起こり得る。このため、前述の従来例のように補強部材を設けることもできるが、中身の見易さや、製造容易性、製造コストの観点から好ましくないため、フィルムシート２の厚みを７０μｍ以上に増加して、強度を確保するのが好ましい。
【００４９】
他方、本発明においては、上述の中身視認用窓３０を有するとともに、特徴的に、箱本体１は前記上面裂開用ミシン目線１１及び中身視認用窓３０を被覆するようにして透明な樹脂製フィルム２０によって外面側がフィルムコーティングされている。すなわち、前記箱本体１は少なくとも当該部分１１，３０を被覆するようにして外面にフィルムコーティング層２０を有する。より詳細には、収納箱Ｘ１は、前記板紙１０の箱外面側となる面に樹脂製フィルム２０がコーティングされている素材により形成されている。このように樹脂製フィルム２０によりコーティングされていることにより、ミシン面線１１を構成するカット部、及び中身視認用窓３０とフィルムシート２との間隙が封止され、当該部分が液密、気密となり、内部の衛生薄葉紙束が湿度、臭気、塵などから確実に防止される。
【００５０】
ここで、前記樹脂製フィルム２０としては、ポリプロピレンフィルムシート、ポリエチレンフィルムシート、ポリビニルアルコールフィルムシート、ポリエチレンテレフタレートフィルムシート、アクリルフィルムシートなど既知の樹脂製フィルムが採用できる。
【００５１】
好ましくは、平滑性が高く、板紙への密着性に優れ、さらに、透明性が高く板紙に印刷した不変情報の視認性に優れるとともに、耐久効果もあり、焼却廃棄時に有害ガスの発生し難く、しかも安価であるポリプロピレンフィルムシートである。そのなかでも、非延伸のいわゆるＣＰＰよりも、二軸延伸のいわゆるＯＰＰが特に板紙との密着性に優れるため適する。
【００５２】
また、前記樹脂製フィルム２０は、好ましくは、ＪＩＳ  Ｐ  ８１４２に規定されている光沢度が５０〜９０％、好ましくは７０〜８５％であるのが望ましい。この光沢度を満たす樹脂製フィルムは、見栄えに優れる。
【００５３】
また、樹脂製フィルム２０の透明度は、視認窓の機能を妨げない点程度の透明性があればよい。例えば、ＪＩＳ Ｐ ８１３８に規定される不透明度で２０％以下、特に１０％以下であるのがよい。樹脂製フィルム２０は、内部の束の視認性を考慮して無色透明であるのが望ましい。
【００５４】
なお、このような収納箱Ｘ１とするには、例えば、収納箱Ｘ１の素材となる板紙１０に適宜のミシン目線１１や中身視認用窓３０となるくり抜きを施した後に、樹脂製フィルム２０を積層すればよい。そして、かかる樹脂製フィルム２０と板紙１０との積層は、熱圧着、熱融着、接着剤による貼付技術など既知のフィルムコーティング技術が利用できる。ただし、本発明においては樹脂製フィルムが、板紙に対して剥離不能に接着されている必要はなく、剥離可能な状態で接着されている形態をも含む。
【００５５】
ここで、樹脂性フィルム２０のコーティング部分は、上述のとおり、裂開用ミシン目線１１及び中身視認用窓３０を含む範囲であるが、この部分に限定されるわけではない。例えば、収納箱Ｘ１の上面全体１Ｕであってもよいし、箱全体がフィルムコーティングされていてもよい。なお、組立て前の板紙１０に対して樹脂製フィルム２０をコーティングするのが製造方法上簡易であり、この場合には部分的にコーティングするよりも板紙全体をコーティングするほうが簡易であるので、製造が簡易となる点で箱全体がコーティングされているのがよい。見栄えの点でもこのほうが優れる。
【００５６】
他方、この樹脂製フィルム（コーティング層）２０の厚さは５〜５０μｍであるのが望ましい。５μｍ未満であると輸送時等に意図せず破れるおそれがあり、所望の液密性、気密性が発揮されなくなるおそれがある。また、７０μｍを超えると裂開用ミシン目線１１を被覆していることから、これを裂開し難くなる。
【００５７】
他方、本発明においては、このようにフィルムコーティングされ内外が気密となっていることから、フィルムシート２の表裏面の少なくとも一方、又は、樹脂製フィルム２０のフィルムシート２対向面部分に香料が内包されたマイクロカプセルを担持させると、使用開始前は無臭であり、開封時に芳香が立つものとなる（図示略）。すなわち、従来製品では、マイクロカプセルや板紙に芳香剤を担持させても流通時や保管時に香りが低下することがあったが、本発明のようにフィルムコーティングによって気密にされている場合にはこのような芳香の低下がなくなる。
【００５８】
ここで、マイクロカプセルの物性、組成、製造方法、配合割合、粒度分布、膜厚、内包される香料の種類は本発明では特に限定されない。また、担持方法も限定されない。従来既知の方法が採用できる。一例としては、コアセルベーション法、界面重合法、界面沈殿法、液中乾燥法、融解分散冷却法、in situ 重合法などのマイクロカプセル化法を用いることができ、また、これらにより製造したマイクロカプセルをでんぷん、ＰＶＡ、ウレタン樹脂、アクリル樹脂等のバインダーによってフィルムに塗工付着させる方法を用いることができる。
【００５９】
他方、衛生薄葉紙収納箱Ｘ１の内部には、例えば複数の衛生薄葉紙Ｐを所謂ポップアップ式に重畳してなる衛生薄葉紙束が収容され、図２に示されるように、スリット２１から衛生薄葉紙Ｐを一枚一枚取り出して使用される。このような収容形態では、衛生薄葉紙Ｐの平坦面は上面１Ｕと平行になるため、上述のように上面１Ｕに中身視認用窓３０を設けることで、衛生薄葉紙Ｐの平坦面を外部から良好に視認できるという利点がある。また、  衛生薄葉紙収納箱の製品は、複数個（例えば５箱）を上下方向に積み重ねてフィルムで包装し、１パックとして市販されることがあるが、この場合であっても、最上部の箱の上面１Ｕにおける中身確認用窓３０を介して箱の中身を視認することができる。ただしこの場合、パックの包装フィルムのうち少なくとも中身確認用窓３０と重なる部分はフィルムシート２や樹脂製フィルム２０と同様に透視可能なフィルム素材であることが必要である。
【００６０】
衛生薄葉紙Ｐ自体の大きさ、紙厚、プライ数（重ね枚数）及び組成は本発明では限定されない。また、衛生薄葉紙Ｐは用途に応じた既知の薄様紙の抄紙技術にしたがって製造することができる。
【００６１】
抄紙には、例えば、抄紙原料を実質的に湿紙に形成するワイヤーパート、湿紙を脱水するプレスパート、脱水された湿紙を乾燥するドライヤーパートの少なくとも３つのパートから成る、公知種々の抄紙機を用いることができる。
【００６２】
かかる衛生薄葉紙は、例えば、ティシュペーパー、キッチンペーパー。ワイプなどに応じて適宜既知の技術によりその物性、組成を変更することができる。
【００６３】
なお、衛生薄葉紙をティシュペーパーとするならば、その好適な坪量としては、例えば、１０〜４０ｇ／ｍ２（ＪＩＳ  Ｐ  ８１２４）、１枚あたりの好適な紙厚２５〜８００μｍ、好適な乾燥引張強度は、２プライで縦方向；１５０〜８００ｃＮ／幅２５ｍｍ、横方向；５０〜４００ｃＮ／幅２５ｍｍ（ＪＩＳ  Ｐ  ８１１３）である。また、好適なソフトネスは０．５〜６．０ｇ（JAPAN TAPPI No.34  クリアランス５ｍｍ  試料寸法１００ｍｍ×１００ｍｍ）、ＭＭＤ（カトーテック（株）摩擦感テスターＫＥＳ−ＳＥ）は０．０３〜０．１８、伸びは５〜４０％の範囲である。
【００６４】
衛生薄葉紙束の製造は、既知のインターホルダーにより衛生薄葉紙原紙を折り畳んだ後に、所定の大きさに切断する既知の方法を採用できる。
【００６５】
本発明においては、衛生薄葉紙束大きさは特に限定されるものではなく、収容する衛生薄葉紙収納箱の大きさに併せて適宜変更することができるが、衛生薄葉紙束の高さは０．９×Ｈｍｍ〜１．０×Ｈｍｍの範囲内であるとするのが望ましい。本発明は、箱Ｘ１内に収納された衛生薄葉紙Ｐ自体が、箱Ｘ１外部から中身視認用窓３０を介して視認できるものであるため、外観に特徴のある衛生薄葉紙製品、例えば色や模様が印刷やエンボス加工で付加された製品や、素材自体の質感に特徴のある製品に特に好適である。
【００６６】
（その他の形態）
なお、上述実施の形態では、望ましく、箱本体１の上面１Ｕにおける、上面裂開用ミシン目線１１内及びその周囲部に跨る部分に中身視認用窓３０が開口されている形態であるが、本発明はこれに限定されず、中身視認用窓はフィルムシートと重なる位置にあればよく、例えば、箱本体の上面１Ｕにおける環状の裂開用ミシン目線外にあってもよい。
【００６７】
また、上述の実施形態では、箱本体の上面１Ｕに環状のミシン目線を形成し、これを切り剥がすことにより、取り出し口が形成される形態であったが、本発明では、ミシン目線ではなく、上面に予め取り出し口が形成されていてもよい。すなわち、上記形態における箱本体の環状のミシン目線で囲まれる範囲が予め除去されていたり、刳り抜かれていたりする形態である。本発明においては、樹脂製フィルム２０によりフィルムコーティングされているため、このような形態であって収納箱内外への異物等の混入が防止される。また、別途に中身視認用窓を形成しなくとも、当該取り出し口が中身視認用窓を兼用するため、視認窓を形成するためのミシン目線やくり抜き部の別途に形成する必要がなく簡易に製造できる利点がある。
【産業上の利用可能性】
【００６８】
本発明は、ティシュペーパー、ペーパータオル、キッチンペーパー等を収納するための衛生薄葉紙収納箱に利用可能である。
【符号の説明】
【００６９】
１…箱本体、１Ｕ…箱本体上面、１Ｌ…上面の長手縁、１Ｓ…上面の短手縁、２…フィルムシート、１０…板紙、１１…上面裂開用ミシン目線、１１ａ…上面裂開用ミシン目線により囲まれる範囲、１２…上面取り出し口、２０…樹脂製フィルム（フィルムコーティング層）、２ａ…スリット、２ｂ…ミシン目、３０…中身視認用窓、３１…離間距離、５０…接着剤、Ｐ…ティシュペーパー、Ｘ１…衛生薄葉紙収納箱。
【図１】
2010173729.tif 000003
【図２】
2010173729.tif 000004
【図３】
2010173729.tif 000005
【図４】
2010173729.tif 000006